(57)【要約】【課題】本発明は、ビデオマイクロ用撮像装置においてレンズ倍率を画面に簡易的に表示させること及びレンズ倍率変化時に画像の色調及びエンハンス補正量を変えることを可能とすることにある。【解決手段】本発明は、上記目的を達成するため、レンズ前面に規定の印が付いた保護カバーを取り付け、被写体と同時に撮像し、画素ピッチと比較することによりレンズ倍率を測定し、測定したレンズ倍率を基に予めレジスタ等に設定しておいたデータを読み出し色調補正量及びエンハンス補正量を可変とする。【選択図】図２
2010268392.tif 000002
【特許請求の範囲】
【請求項１】
倍率可変機構を有するレンズと、前記レンズから入射される被写体像を光電変換する固体撮像素子と、前記固体撮像素子からの電気信号をディスプレーに描画する手段をを有するビデオマイクロスコープ用撮像装置において、レンズ表面に取り付け、マーカを表示した保護カバーと、前記固体撮像素子は前記被写体像と共に前記マーカを撮像し、該撮像されたマーカのサイズに基づいてレンズ倍率を算出し、算出されたレンズ倍率を前記ディスプレーに表示する用に出力する制御部と備えたことを特徴とするビデオマイクロスコープ用撮像装置。
【発明の詳細な説明】
【技術分野】
【０００１】
本発明は、ビデオマイクロスコープ用撮像装置に関わり、被写体および装置レンズ倍率に応じて最適な画質を得るのに好適なためにビデオマイクロスコープ用撮像装置に関する。
【背景技術】
【０００２】
従来のビデオマイクロスコープ用撮像装置は、色調補正やエッジを強調するエンハンス補正を行い、最適な画質を得る機能を有している。例えば、特許文献１には、色彩エンハンス回路による画像データやエッジエンハンス回路による画像データを合成して、表示する撮像装置が開示されている。
従来のビデオマイクロスコープ用撮像装置において、汎用の倍率可変機構を有するビデオマイクロスコープ用レンズでは、レンズ倍率の可変機構は手動のメカニカル制御である。このため、レンズ倍率を変えながら被写体をディスプレー画面上に撮像する場合等において、可変したレンズ倍率を確認する場合には、操作者が、その都度、レンズに表示されている目盛りを読む必要がある。
【０００３】
また、撮像装置におけるエンハンス補正量及び色調補正量は、レンズ倍率に関係なく、予め規定値が設定されている。
例えば、プリント基板上に実装されたＩＣの端子のはんだ付けの状態を検査するため、ＩＣの端子部分のを撮像した場合には、レジスト部分の画像領域のエンハンス補正量を抑えめにし、ＩＣ端子部分（はんだ付け部分）の画像領域のエンハンス補正量を高く設定すべきであるが、レジスト部分とＩＣ端子部分の兼ね合いで、中間値の補正量に設定している。
また、例えば、刃物の刃先等、金属部の断面を撮像する場合には、レンズ倍率を拡大していきながら確認することがある。このような場合には、拡大率（レンズ倍率）に応じてエンハンス補正量を高めた方が良い場合もある。
【先行技術文献】
【特許文献】
【０００４】
【特許文献１】特開２００５−１３００４６号公報
【発明の概要】
【発明が解決しようとする課題】
【０００５】
上述のように、従来のビデオマイクロスコープ用撮像装置における、汎用の倍率可変機構を有するビデオマイクロスコープ用レンズでは、操作者の手動によってレンズ倍率を変更する。従って、可変したレンズ倍率を確認する場合には、操作者が、その都度、レンズに表示されている目盛りを読む必要があった。
本発明は、上記の問題に鑑み、レンズ倍率を画面に表示すること、及びレンズ倍率を変えたときにエンハンス補正量及び色調補正量を変えることを可能とすることを目的とする。
【課題を解決するための手段】
【０００６】
上記の課題を解決するため、本発明は、レンズ表面に取り付けた保護カバーに規定の印を設け、被写体と同時に撮像して、簡易的にレンズ倍率を測定し、測定結果をディスプレー上に表示する。また、測定した倍率に応じて、予めレジスタ等に倍率毎の補正量の設定値を格納しておき、色調補正量及びエンハンス補正量を変えるようにしたものである。
即ち、本発明のビデオマイクロスコープ用撮像装置は、倍率可変機構を有するレンズと、前記レンズから入射される被写体像を光電変換する固体撮像素子と、前記固体撮像素子からの電気信号をディスプレーに描画する手段をを有するビデオマイクロスコープ用撮像装置において、レンズ表面に取り付け、マーカを表示した保護カバーと、前記固体撮像素子は前記被写体像と共に前記マーカを撮像し、該撮像されたマーカのサイズに基づいてレンズ倍率を算出し、算出されたレンズ倍率を前記ディスプレーに表示する用に出力する制御部と備えたものである。
【発明の効果】
【０００７】
本発明によれば、汎用の倍率可変機構を有するビデオマイクロスコープ用レンズで、操作者の手動によってレンズ倍率を変更する場合に、レンズ倍率を画面に表示することが可能となる。そして、レンズ倍率を変えたときに、エンハンス補正量及び色調補正量を変えることを可能とする。
【図面の簡単な説明】
【０００８】
【図１】本発明のビデオマイクロスコープ用撮像装置の一実施例の構成を示すブロック図である。
【図２】本発明のビデオマイクロスコープ用撮像装置の色調補正量及びエンハンス補正量の再設定動作を説明するためのフローチャートである。
【発明を実施するための形態】
【０００９】
以下に本発明の一実施形態を説明する。本発明のビデオマイクロスコープ用撮像装置は、レンズ倍率を簡易的にディスプレー画面に表示し、またレンズ倍率に応じて最適な画質を得るためにエンハンス補正量及び色調補正量を変えるものである。
なお、以下に説明する実施形態は説明のためのものであり、本願発明の範囲を制限するものではない。従って、当業者であればこれらの各要素若しくは全要素をこれと均等なものに置換した実施形態を採用することが可能であり、これらの実施形態も本願発明の範囲に含まれる。なお、各図の説明において、共通な機能を有する構成要素には同一の参照番号を付し、できるだけ説明の重複を避ける。
【００１０】
図１は、本発明のビデオマイクロスコープ用撮像装置の一実施例の構成を示すブロック図である。
１００は本発明の一実施例のビデオマイクロスコープ用撮像装置、１はレンズ倍率可変のレンズ、２は撮像素子、３はＡ／Ｄ（ Analog to Digital ）コンバータ、４は映像信号処理部、５はフレームメモリ、６はＣＰＵ（ Central Processing unit ）、７は規定の印のついたレンズ保護カバーである。
【００１１】
図１において、ビデオマイクロスコープ用撮像装置１００は、倍率を変えられるレンズ１を有している。そのレンズ１を通して、撮像素子２に入射された被写体像は光電変換され、Ａ／Ｄコンバータ３に出力される。Ａ／Ｄコンバータ３は、入力された映像信号をデジタル信号に変換し、映像処理部４に出力する。
映像信号処理部４は、入力された映像信号に信号処理を施し、フレームメモリ５に出力する。フレームメモリ５は、入力された映像信号を画像フレーム単位で記録し、図示しないディスプレーモニタに画像を出力し、表示させる。
ＣＰＵ６は、映像信号処理部４に対する制御を行う。
【００１２】
レンズ１に取り付けた保護カバー７には、例えば、５０μｍの十字マーカ等のマーカが設けられ、操作者がレンズ１の倍率を変化させた場合には、保護カバー７に、この十字マーカ表示される。
撮像素子２は、表示された十字マーカを被写体像と共に撮像する。ＣＣＤ等の撮像素子１の有効画素範囲が決まっているので、マーカの位置を撮像素子によって予め定めることができる。
なお、十字マーカ等のマーカを、レンズ１から入射する被写体像と一緒に撮像するには、例えば、レンズの種類によってフォーカスポイント迄の距離が異なるので、レンズ毎に異なる保護カバーを用意して変更するするか、若しくはマーカ位置を上下に移動する構造とする必要がある。
【００１３】
ＣＰＵ６は、映像処理部４から画像データを取り込み、十字マーカの水平方向の画素数若しくは、垂直方向の画素数ｂを測定する。そして、撮像素子２の画素ピッチｐと比較する。例えば、マーカサイズｓが５０μｍ、画素ピッチｐが５μｍで、測定値ｂが５００画素であるなら、式（１）のように、現在のレンズ倍率値ｚを５０（レンズ倍率が５０）と算出する。
即ち、ｚ＝ｂ×ｐ／ｓ  ・・・式（１）
【００１４】
ＣＰＵ６は、算出したレンズ倍率値ｚの結果を、映像処理部４に出力し、映像処理部４は、入力されたレンズ倍率値ｚを、撮像された被写体像に混合し、映像信号出力とする。例えば、混合するとは、表示画像データの予め定められたフォーマットに基づき、所定部分にスーパーインポーズすることである。
【００１５】
ＣＰＵ６は、上記混合処理の制御と共に、映像処理部４を制御し、レンズ倍率値ｚに応じて、色調補正量とエンハンス補正量を変える。
色調補正量及びエンハンス補正量を変える処理動作を、図２のフローチャートにより説明する。図２は、本発明のビデオマイクロスコープ用撮像装置の色調補正量及びエンハンス補正量の再設定動作を説明するためのフローチャートである。
図２の実施例では、各レンズ倍率値の範囲ごとにレジスタを映像処理部４内に設定し、算出したレンズ倍率値が示すレジスタの設定値を読み込み、色調補正量及びエンハンス補正量を変更する。
即ち、レジスタそれぞれの設定値を一定とし、レンズ倍率が変化しても、その変化に応じて色調補正量及びエンハンス補正量を変更する必要はない。
【００１６】
具体的には、ＣＰＵ６は、図２に示すように動作する。
即ち、ステップＳ２１では、映像処理部４から取得した画像データから、規定マーカサイズを測定する（画素ピッチｐを算出する）。
次にステップＳ２２では、レンズ倍率が変化したか否かを測定したマーカサイズが前回測定したサイズと異なっているか、否かによって判定する。異なっていれば、レンズ倍率が変化した（Ｙｅｓ）と判定し、ステップＳ２３の処理に移行し、マーカサイズが同一であれば、レンズ倍率に変更がないと判定し、処理を終える。
ステップＳ２３では、レンズ倍率値ｚを算出する。
ステップＳ２４では、算出されたレンズ倍率値ｚに対応するレジスタの設定値から補正量を読み出す。
ステップＳ２５では、読み出した補正量から色調補正量を再設定する。
ステップＳ２６では、読み出した補正量からエンハンス補正量を再設定する。
以上で、色調補正量及びエンハンス補正量の再設定動作が終了する。
なお、ステップＳ２５とＳ２６とは、どちらを先に処理しても良いし、又は同時に処理しても良い。
【００１７】
また、各レジスタの設定値を何種類か用意し、被写体に応じてレジスタ設定値を変える指示を画像処理部４を制御するようにしても良い。
例えば、プリント基板のスルホールの周辺及びスルホール内部を検査する場合には、レンズ倍率が低倍率では、レジスト等の各部の色識別が必要である。しかし、高倍率では、色調のレベルを抑えて色成分ノイズを低くすることによって、エンハンス量を高めに設定して、スルホールの状態を、鮮明な画像とする。
また例えば、刃物の刃先等、金属面を検査する場合には、レンズ倍率の変化に応じて色調の補正量を設定変更する必要がないため、色調補正量は固定（一定値）とし、エンハンスの補正量のみをレンズ倍率に応じて変更すると、画像を鮮明にすることができる。
【００１８】
図１若しくは図２の実施例によれば、汎用の倍率可変機構を有するビデオマイクロスコープ用レンズで、操作者の手動によってレンズ倍率を変更する場合に、レンズ倍率を画面に表示することが可能となる。そして、レンズ倍率を変えたときに、エンハンス補正量及び色調補正量を変えることを可能なビデオマイクロスコープ用撮像装置を実現できる。
【００１９】
即ち、本発明のビデオマイクロスコープ用撮像装置は、倍率可変機構を有するビデオマイクロスコープ用レンズと、レンズからの入射光を光電変換する固体撮像素子と、固体撮像素子からの電気信号をディスプレーに描画する手段とを有するビデオマイクロスコープ用撮像装置において、レンズ表面に取り付けた保護カバーに表示したマーカを基にレンズ倍率をディスプレー画面上に表示するように出力する制御部（ＣＰＵ及び映像処理部）を備える。
好ましくは、上記ビデオマイクロスコープ用撮像装置は、レンズ倍率に応じてエンハンスの補正量を変えることができる。
また好ましくは、上記ビデオマイクロスコープ用撮像装置は、レンズ倍率に応じて色調の補正量を変えることができる。
【符号の説明】
【００２０】
１：レンズ、  ２：撮像素子、  ３：Ａ／Ｄコンバータ、  ４：映像信号処理部、  ５：フレームメモリ、  ６：ＣＰＵ、  ７：レンズ保護カバー、  １００：ビデオマイクロスコープ用撮像装置。
【図１】
2010268392.tif 000003
【図２】
2010268392.tif 000004